(57)【要約】【課題】  インクリボンの使用できる施封回数を設定し、この施封回数に到達したときに操作員に対してインクリボン交換メッセージを表示する紙葉類処理装置及び紙葉類処理装置のインクリボン交換メッセージ表示法方法を提供する。【解決手段】  インクリボンを備えた紙帯印刷装置４６１で印刷した紙帯を用いて集積された紙葉類を施封装置４３１で施封処理を行う。情報系パソコン１０この処理結果を受信して施封回数を計数する。この計数された施封回数が所定回数ｋに達するとインクリボン交換メッセージが情報系パソコンの操作部１１に表示される。このインクリボン交換メッセージは、操作員がインクリボンを交換した後、操作部１１から消去することができる。この消去によって施封回数も初期状態（ｍ＝０）に設定される。【選択図】  図１
2006001012.tif 000002
【特許請求の範囲】
【請求項１】
表示手段を有する情報系パソコンと、
紙葉類を処理する各種処理手段を配置した本体と、
この本体に配置され、前記各種処理手段を制御する機構制御手段と、
前記本体に配置され、前記情報系パソコンと前記機構制御手段との通信を行う通信手段と、
この通信手段によって前記各種処理手段から送信された前記紙葉類の処理結果を受信し、この受信結果を用いて前記各種処理手段で消費された消耗品の使用量が所定値に達したとき、消耗品交換メッセージを前記情報系パソコンの表示手段に表示する制御手段と
を備えたことを特徴とする紙葉類処理装置。
【請求項２】
前記各種処理手段は、
少なくともインクリボンを備えた印刷手段と、
この印刷手段で印刷した紙帯を用いて前記紙葉類を施封する施封手段とを備え、
前記情報系パソコンは、
前記施封手段で前記紙葉類を施封した回数を計数する計数手段と、
この計数手段の結果得られた前記計数値を所定回数と比較する比較手段と、
この比較手段による比較の結果、前記計数値が所定回数に達したときに、前記インクリボン交換メッセージを表示する表示手段と、
前記インクリボン交換メッセージを消去する消去手段と、
前記計数手段によって計数した計数値を初期値に設定する初期化手段と、
前記インクリボン交換メッセージが前記表示手段に表示された後、前記消去手段によってこのインクリボン交換メッセージが消去されたとき、前記初期化手段によって前記計数値を初期値に設定する制御をさらに行う制御手段と
を備えたことを特徴とする請求項１記載の紙葉類処理装置。
【請求項３】
前記各種処理手段は、
少なくともインクリボンを備えた印刷手段と、
この印刷手段で印刷した紙帯を用いて前記紙葉類を施封する施封手段とを備え、
前記情報系パソコンは、
前記紙帯に印刷した回数を計数する計数手段と、
この計数手段の結果得られた前記計数値を所定回数と比較する比較手段と、
この比較手段による比較の結果、前記計数値が所定回数に達したときに、前記インクリボン交換メッセージを表示する表示手段と、
前記インクリボン交換メッセージを消去する消去手段と、
前記計数手段によって計数した計数値を初期値に設定する初期化手段と、
前記インクリボン交換メッセージが前記表示手段に表示された後、前記消去手段によってこのインクリボン交換メッセージが消去されたとき、前記初期化手段によって前記計数値を初期値に設定する制御をさらに行う制御手段と
を備えたことを特徴とする請求項１記載の紙葉類処理装置。
【請求項４】
インクリボンを備えた印刷手段で印刷した紙帯を用いて紙葉類を施封する施封手段を備えた紙葉類処理装置のインクリボン交換メッセージ表示方法であって、
前記紙葉類を施封した回数を計数した計数値を初期値に設定する初期化工程と、
この初期化工程の後、前記施封手段で前記紙葉類を施封した回数を計数する計数工程と、
この計数工程の結果得られた計数値を所定回数と比較する比較工程と、
この比較工程による比較の結果、前記計数値が前記所定回数に達したときの、前記インクリボン交換メッセージを表示する表示工程と、
この表示工程によって表示された前記インクリボン交換メッセージを消去する消去工程と、
この消去工程によって前記インクリボン交換メッセージが消去されたとき、前記初期化工程によって前記計数値を初期値に設定する初期化工程と
を備えたことを特徴とする紙葉類処理装置のインクリボン交換メッセージ表示方法。
【発明の詳細な説明】
【技術分野】
【０００１】
本発明は、銀行券などの紙葉類を区分して集積した後、インクリボンを備えた紙帯印刷装置で紙葉類の券種情報を印刷した紙帯を用いて施封した紙葉類処理装置、及び紙葉類処理装置のインクリボン交換メッセージ表示方法に関する。
【背景技術】
【０００２】
従来、搬送される紙幣などの紙葉類を処理する処理装置は、表裏及び上下がランダムな状態で投入された大きさの異なる複数の紙葉類を搬送路上に１枚ずつ取り出し、その搬送路上に設けられた判別装置によって券種や搬送される紙幣の向き（以下、搬送方向と称する）が判別される。この判別結果に基づいて搬送路上に設けられた複数のゲートが切り換えられ、更に、スイッチバック反転機構や表裏反転機構により搬送方向が揃えられて集積装置によって集積される。
【０００３】
また、例えば、施封をするように指定された券種の紙葉類は、施封装置に搬送される。そして、この施封装置によって、券種を区別するための券種情報が印刷された紙帯を用いて施封していた。このとき使用される紙帯は券種毎に設定されており、通常は券種、金額、銀行名などが紙帯印刷装置によって印刷されている。
【０００４】
上記紙帯は、熱転写インクリボン（以下、インクリボンと称する。）を用いた熱転写装置によって印刷されている。このようなインクリボンの残量チェックには、熱転写装置にインクリボンの残量を検知する残量検知センサーを取り付け、常時インクリボンの残量を検知する方法がある。また、インクリボンの巻き終わりにエンドマークを印刷し、このエンドマークを検知するエンドマーク検知センサを組み込み、このエンドマーク検知センサによってエンドマークが検知できたときにインクリボンなしを操作員に対して警報や表示によって通知していた（例えば、特許文献１参照。）。
【特許文献１】特開２００３−２５１８４１号公報（第１頁、図２−図３）
【発明の開示】
【発明が解決しようとする課題】
【０００５】
しかしながら、上記残量検知センサやエンドマーク検知センサは何れも、インクリボンを検知するセンサをインクリボンを収納するインクリボンカセット又は熱転写装置に組み込む必要があり、更に、残量検知センサ及びエンドマーク検知センサから出力される信号を処理する処理回路が必要となり、コスト高になるという問題があった。
【０００６】
また、上記残量検知センサやエンドマーク検知センサを使用しない装置では操作員がインクリボンの残量を随時目視確認する必要があるためスループットが低下するという問題があった。
【０００７】
本発明は、上記問題を解決するためになされたもので、１回の施封に使用する紙帯に印刷するときに使用されるインクリボンの使用量から、インクリボンの使用できる施封回数を設定し、この施封回数に到達したときに操作員に対してインクリボン交換メッセージを表示する紙葉類処理装置及び紙葉類処理装置のインクリボン交換メッセージ表示法方法を提供することを目的とする。
【課題を解決するための手段】
【０００８】
上記目的を達成するために、本発明の紙葉類処理装置は、表示手段を有する情報系パソコンと、紙葉類を処理する各種処理手段を配置した本体と、この本体に配置され、前記各種処理手段を制御する機構制御手段と、前記本体に配置され、前記情報系パソコンと前記機構制御手段との通信を行う通信手段と、この通信手段によって前記各種処理手段から送信された前記紙葉類の処理結果を受信し、この受信結果を用いて前記各種処理手段で消費された消耗品の使用量が所定値に達したとき、消耗品の交換メッセージを前記情報系パソコンの表示手段に表示する制御手段とを備えたことを特徴とする。
【０００９】
また、本発明の紙葉類処理装置のインクリボン交換メッセージ表示法方法は、インクリボンを備えた印刷手段で印刷した紙帯を用いて紙葉類を施封する施封手段を備えた紙葉類処理装置のインクリボン交換メッセージ表示方法であって、前記紙葉類を施封した回数を計数した計数値を初期値に設定する初期化工程と、この初期化工程の後、前記施封手段で前記紙葉類を施封した回数を計数する計数工程と、この計数工程の結果得られた計数値を所定回数と比較する比較工程と、この比較工程による比較の結果、前記計数値が前記所定回数に達したときの、前記インクリボン交換メッセージを表示する表示工程と、この表示工程によって表示された前記インクリボン交換メッセージを消去する消去工程と、この消去工程によって前記インクリボン交換メッセージが消去されたとき、前記初期化工程によって前記計数値を初期値に設定する初期化工程とを備えたことを特徴とする。
【発明の効果】
【００１０】
本発明によれば１回の施封で使用する紙帯に印刷するときに使用されるインクリボンの使用量から、インクリボンの使用できる施封回数を設定し、この施封回数に到達したときに操作員に対してインクリボン交換メッセージを表示する紙葉類処理装置及び紙葉類処理装置のインクリボン交換メッセージ表示法方法を提供することができる。
【発明を実施するための最良の形態】
【００１１】
以下、図面を参照して本発明の実施例を説明する。
【実施例】
【００１２】
図１は、本発明の実施例による紙葉類処理装置１のブロック図である。紙葉類処理装置１には、情報系パソコン１０、操作部１１、プリンタ２０、機構部（本体）３０が設けられている。
【００１３】
情報系パソコン１０は、操作画面（表示手段）を備え、この操作画面から操作員によって入力指示されることによって機構部３０が操作される。また、この機構部３０で処理されたデータ内容はソフトウェアタスク群（以下、Ｓ／Ｗタスク群と称する）３１から送信されたデータに基づいて処理された紙葉類の種類（以下、券種と称する）、正損（正券と損券）の別、真偽（本物と偽者）の別、搬送された紙葉類の搬送方向、など判別結果に関する各種データを計数する（計数手段）。また、これら計数値を記憶装置（図示しない）に記憶する。更に、操作画面から印刷入力指示があったとき、プリンタ２０に出力して印刷を行う。
【００１４】
機構部３０には、機械の動作シーケンスを管理し、情報系パソコン１０と通信するＳ／Ｗタスク群（通信手段）３１、実際に機械の動作を行う各種装置４０、及びこの各種装置４０を直接操作するファームウェアタスク群（以下、Ｆ／Ｗタスク群と称する）３２が設けられている。
【００１５】
各種装置（各種処理手段）４０には、紙葉類を供給する供給装置４１、集積装置４２１〜４２ｎ、施封装置（施封手段）４３１〜４３ｎ、排出装置４４１〜４４ｎが設けられている。
【００１６】
図示矢印Ａ１（〜Ａ１ｎ）、Ａ２（〜Ａ２ｎ）、Ａ３（〜Ａ３ｎ）、Ａ４（〜Ａ４ｎ）は、この各種装置内において、紙葉類が処理される順番を示している。すなわち、供給装置４１に供給された紙葉類が１枚ずつ取り出されて搬送される。搬送された紙葉類は判別装置４５で判別され、この判別装置４５の判別結果に基づいて振り分けられて集積装置４２１〜４２ｎに集積される。集積された紙葉類は情報系パソコン１０の操作部１１からの指示に基づいて施封装置４３１〜４３ｎで施封される。施封された紙葉類は、排出装置４４１〜４４ｎから排出される。
【００１７】
集積装置４２１〜４２ｎには、判別装置４５の判別結果に基づいて、例えば、正損及び搬送方向が揃えられた紙葉類が券種毎に集積される。集積された紙葉類が所定枚数（例えば、１００枚）に到達すると、紙葉類は集積装置から情報系パソコン１０の指示に基づいて設定された施封装置４３１〜４３ｎの何れかに搬送される。
【００１８】
施封装置４３１〜４３ｎは、情報系パソコン１０の操作部１１からの指示に基づいてこの施封装置４２１〜４２ｎに搬送されてきた紙葉類をインクリボンを備えた紙帯印刷装置（印刷手段）４６１〜４６ｎで印刷した紙帯を用いて当該紙葉類を施封する。この施封装置４３１〜４３ｎは、複雑で高価なことから集積装置より少ない個数配置される。そして、通常は施封するように設定された紙葉類のみ施封し、他の紙葉類は集積する場合が多いが、図示した実施例では集積装置と施封装置が同数記述してある。
【００１９】
紙帯印刷装置４６１〜４６ｎは、情報系パソコン１０から印刷する券種を指示され、この券種に基づく券種、金額、銀行名などを紙帯に印刷する。この印刷した紙帯は、対応する施封装置に供給される。
【００２０】
次に、図２を参照して情報系パソコン１０のインクリボン交換メッセージを表示するフローチャートに基づいて制御手段を説明する。
【００２１】
最初に、施封回数ｍを記憶するメモリをクリアする（初期化手段、ｍ＝０）（Ｓ１０）。
【００２２】
次に、機構制御部（本体）３０から各種装置４０の処理結果（以下、処理結果と称する。）に関する受信データがあるか確認する。この確認の結果、機構部３０から処理結果の受信がない場合は、処理結果を受信するまで待機する（Ｓ１１のNo）。
【００２３】
次に、機構部３０から処理結果を受信した場合（Ｓ１１のＹｅｓ）、受信した処理結果を元に施封が行われたときは施封回数ｍを下式（１）で計数する（Ｓ１２）。  
ｍ＝ｍ＋１・・・・・・（１）
【００２４】
次に、施封回数ｍを所定回数ｋと比較する（比較手段）（Ｓ１３）。この所定回数ｋは、１回の施封に使用する紙帯に印刷するときに使用されるインクリボンの使用量から、インクリボンの使用できる施封回数ｋが設定される。例えば、本実施例ではｋの値は１００００回になっている。比較の結果、施封回数ｍが所定回数ｋに達していない場合、インクリボンカセットはまだ使用できるため、ステップＳ１１にもどって機構制御部から次の処理結果を受信するまで待機する。また、比較の結果、施封回数ｍが所定回数ｋに達した場合は、インクリボン交換メッセージを操作部１１（表示手段）に表示する（Ｓ１４）。
【００２５】
次に、上記インクリボン交換メッセージによって、操作員によってインクリボンが交換された後、このインクリボン交換メッセージの消去が操作部１１から入力されたとき（消去手段）インクリボン交換メッセージが消去される（Ｓ１５）。
【００２６】
次に、施封回数ｍを初期化する（初期化手段、ｍ＝０）（Ｓ１６）。
【００２７】
次に、図３を参照して機械制御処理部３０のインクリボン交換のフローチャートを説明する。
【００２８】
最初に、機構部３０のＦ／Ｗタスク群（機構制御手段）３２の指示に基づいて各種装置４０は、供給装置４１に供給された紙葉類を１枚ずつ取り出して搬送し判別装置４５で判別する。この判別結果に基づいて紙葉類を集積、紙帯印刷、施封、排出までの一連の紙葉類処理を行う（Ｓ１）。
【００２９】
次に、上記紙葉類処理の結果をＦ／Ｗタスク群（機構制御手段）３２及びＳ／Ｗタスク群（通信手段）３１を経て情報系パソコン１０に送信する（Ｓ２）。
【００３０】
次に、操作員によって操作部１１にインクリボン交換メッセージが表示されているか確認される（Ｓ３）。この確認の結果、操作員によってインクリボン交換メッセージが確認されなかった場合は、上記一連の紙葉類処が継続して行われる（Ｓ３のＮｏ）。
【００３１】
上記確認の結果、操作員によってインクリボン交換メッセージが確認されたとき、操作員は紙葉類処理装置１の運転を停止し、インクリボンの交換を行う（Ｓ４）。インクリボン交換メッセージが表示されても紙葉類処理装置１が直ちに停止するのではなく、更に事前に設定した回数だけ施封ができるように上記施封の回数を設定した所定回数ｋが設定される。
【００３２】
なお、上記実施例では、施封回数ｍを計数したが、この施封回数ｍの変わりに、この施封に使用される紙帯に印刷する回数を計数してもよい。通常は紙帯の印刷回数と施封回数は同じ回数を示すが、紙帯印刷装置４６ｎ又は施封装置４３ｎに障害が発生た場合は同じ回数にならない場合がある。例えば、正常に印刷されない紙帯で施封される場合や、紙帯は正常に印刷されたが施封が正常に行われない場合などは、同じ回数にならない場合がある。以上のことから、上記紙帯に印刷する回数を計数することによってよりインクリボン交換メッセージの表示時期の精度を向上することができる。
【図面の簡単な説明】
【００３３】
【図１】本発明の実施例による紙葉類処理装置１のブロック図。
【図２】情報系パソコンのインクリボン交換メッセージを表示するフローチャート。
【図３】機械制御処理部３０のインクリボン交換のフローチャート。
【符号の説明】
【００３４】
１  紙葉類処理装置
１０  情報系パソコン
１１  操作部
３０  機構部
３１  Ｓ／Ｗタスク群
３２  Ｆ／Ｗタスク群
４０  各種装置
４１  供給装置
４２１、４２ｎ  集積装置
４３１、４３ｎ  施封装置
４４１、４４ｎ  排出装置
４５  判別装置
４６１、４６ｎ  紙帯印刷装置
【図１】
2006001012.tif 000003
【図２】
2006001012.tif 000004
【図３】
2006001012.tif 000005